(57)【要約】【課題】電動ハンマーで杭打ち作業が可能で、しかも高い耐荷重強度を有する太陽光パネル架台用基礎杭を安価に提供する。【解決手段】太陽光パネル架台用基礎杭１は、地中埋設部１１と地上突出部１２との境界に鍔部材１３を有する棒状の基礎杭本体１０よりなり、地中埋設部の先端に剣先１４設けられてる。地上突出部１２には調節部材１５が摺動自在に被せられており、その先端に太陽光パネル架台に結合するためのブラケット１６が取り付けられている。地中埋設部１１の側面には一定方向に傾斜して設けられた抵抗板１７が複数個１７ａ、１７ｂ取り付けられている。【選択図】図１
2016010187.tif 000002
【特許請求の範囲】
【請求項１】
地中埋設部と地上突出部との境界に鍔部材を有する棒状の杭本体及び上記地上突出部に上
下に摺動可能に嵌合するパイプ状の調節部材よりなり、上記地中埋設部の先端に剣先を設
け、上記調節部材に太陽光パネル架台を係止するための取付け用ブラケットと該調節部材
を上記地上突出部に固定するための係止手段とを設けたことを特徴とする太陽光パネル架
台用基礎杭。
【請求項２】
上記地中埋設部にはその側面に沿って、少なくとも２個の小突起状抵抗板が該地中埋設部
の軸線に対して予め定められた角度だけ傾斜して取り付けられていることを特徴とする請
求項１記載の太陽光パネル架台用基礎杭。
【請求項３】
上記複数の抵抗板は上記地中埋設部の側面に沿って下から上の方に向かって螺旋状に配置
されていることを特徴とする請求項２記載の太陽光パネル架台用基礎杭。
【請求項４】
上記取付け用ブラケットには、係合ピンによって太陽光パネル架台と直接又は取付片を介
して係合するための細長い取付孔が設けられていることを特徴とする請求項１記載の太陽
光パネル架台用基礎杭。
【請求項５】
上記調節部材を上記地上突出部に固定するための係止手段としては、上記調節部材に螺合
できる少なくとも1つのボルトを使用することを特徴とする請求項１記載の太陽光パネル
架台用基礎杭。
【請求項６】
上記調節部材を上記地上突出部に固定するためのボルトとしては、上下２つのナットより
なるダブルナット附きのボルトを使用することを特徴とする請求項５記載の太陽光パネル
架台用基礎杭。
【請求項７】
上記調節部材を上記地上突出部に固定するためのボルトとしては、上記調節部材と上記地
上突出部とを貫通して固着できるドリル螺子を使用することを特徴とする請求項５記載の
太陽光パネル架台用基礎杭。
【発明の詳細な説明】
【技術分野】
【０００１】
本発明は、太陽光パネル架台を地面に設置するための基礎杭に関し、特に、平坦な地面
はもとより傾斜した地面でも使用できる太陽光パネル架台を設置するために用いられる基
礎杭に関するものである。
【背景技術】
【０００２】
従来、太陽光パネルの支持架台を地面に設置する場合、支持架台に取り付けた基礎杭を
予め地面に削設した縦穴に挿入し縦穴と基礎杭との隙間にセメントミルクを注入して固定
していた。
【０００３】
しかしこの工法ではセメントミルクを注入する際、縦穴周囲の土壌を巻き込み基礎とな
るコンクリートの強度を弱くするという欠点があった。
そこで、基礎杭よりも直径の大きな縦穴を削設し、その縦穴に柱状のソイルセメントを
注入して柱状改良体を形成し、この柱状改良体が固化する前に既成杭と柱状改良体との隙
間にセメントミルクを注入しながら既成杭を圧入する工法が提案されている（特開２０１
３−１０８２７９号公報参照）。
【０００４】
その他、コンクリート基礎を使用しない工法としては、スクリューの付いた基礎杭を用
いる方法が提案されている（特開２００６−１０４９３８号公報参照）。
【先行技術文献】
【特許文献】
【０００５】
【特許文献１】特開２０１３−１０８２７９号公報
【特許文献２】特開２００６−１０４９３８号公報
【発明の概要】
【発明が解決しようとする課題】
【０００６】
上記特開２０１３−１０８２７９号公報記載の太陽光パネル架台の施工方法は、強度は
高いが、経費が高くなり、施工時間も長くなると云う欠点がある。
【０００７】
コンクリート基礎を用いない特開２００６−１０４９３８号公報記載のスクリュー杭を
用いる施工方法は、施工方法が簡単で、野立て用架台の場合に十分使用可能であるが、ス
クリュー杭を回転しながら埋設するため重機が必要である、また、埋設する際に、先端の
スクリューの部分が土壌を大きくかき混ぜながら杭を埋めてゆくので、土壌の強度を弱く
すると云う欠点がある。そのために攪拌されて弱くなった土壌の強度を改良するには土壌
改良剤を注入しなければならなくなり経費が高くなると云う欠点がある。
【０００８】
本発明は、重機等を使用することなく、電動ハンマーで杭打ち作業が可能で、しかも、
耐荷重、引っ張り強度も十分確保できる太陽光パネル架台用基礎杭を安価に提供すること
を目的としている。
【課題を解決するための手段】
【０００９】
上記目的を達成するために、本発明の太陽光パネル架台用基礎杭は、地中埋設部と地上
突出部との境界に鍔部材を有する棒状の杭本体及び上記地上突出部に上下に摺動可能に嵌
合するパイプ状の調節部材よりなり、上記地中埋設部の先端に剣先を設け、上記調節部材
に太陽光パネル架台を係止するための取付け用ブラケットと該調節部材を上記地上突出部
に固定するための係止手段とを設けたことを特徴とする。
【００１０】
上記の基礎杭本体は、金属製の棒体、好ましくは金属製のパイプ、更に好ましくは鉄
製のパイプで表面に防錆用の溶融亜鉛メッキを施したものを使用する。上記地上埋設部は
１〜２ｍの長さを有し、その先端に剣先が設けられている。
【００１１】
地上突出部は５０〜８０ｃｍ程度の長さを有し、上記地中埋設部と地上突出部との境界
には円形の鍔部材が取り付けられている。
上記地上突出部には、パイプ状の調節部材が摺動自在に被せられている。調節部材の頂
部には太陽光パネル架台を係止するためのブラケットが溶接によって固定されている。こ
のブラケットは水平方向に伸びる金属製の板材で形成され中央に細長い透孔が削設されて
いる。
【００１２】
上記調節部材を上記地上突出部に固定するための係止手段としては、上記調節部材に螺
合できる少なくとも1つのボルトを使用する。
【００１３】
上記調節部材を上記地上突出部に固定するためのボルトとしては、上下２つのナットよ
りなるダブルナット附きのボルトを使用するのが好ましい。ダブルナットとは上下２個の
ナットよりなり、調節部材に接する下ナットは調節部材の側壁に溶接で固定される。
【００１４】
上ナットを嵌めたボルトを下ナットに挿入して調節部材の螺子孔に螺入して締め付ける
。更に上ナットを締め付ける方向に回転させれば、ゆるみ止めの効果が発揮される。そし
て、ボルトの先端は上記地上突出部の側面に押しつけられ、その摩擦力によって、両者を
固定することができる。
【００１５】
上記調節部材を上記地上突出部に固定するための他の形式のボルトとしては、ドリル螺
子を例示することができる。ドリル螺子は、螺子孔を開けなくとも、先端のドリルで鋼材
に穴を開けながら螺入できるので、作業能率を上げることができる。
【００１６】
地中埋設部にはその側面に沿って少なくとも２個、好ましくは２〜４個の小突起状抵抗
板が地中埋設部の軸線に対して予め定められた角度だけ傾斜して取り付けられている。小
突起状抵抗板の大きさは３０〜５０ｍｍ、好ましくは４０ｍｍ、高さは１０〜２０ｍｍで
ある。予め定められた角度としては２０°〜４０°好ましくは３０°である。
【００１７】
複数の抵抗板は地中埋設部の側面に沿って下から上の方に向かって螺旋状に等間隔で配
置されている。複数の抵抗板は同じ方向に傾斜して設けるのが好ましい。
【００１８】
太陽光パネル架台の組み立は、例えば１６枚一組の太陽光パネルユニットの場合は、縦
５本、横３本のＣ型鋼よりなる桟によって長方形に組み立てられた架台の上に１６枚の太
陽光パネルが取り付けられている。このパネルユニットの４隅及び左右長辺の中央に２個
、計６個の基礎杭を地面に打ち込みその上にパネルユニットの架台を取り付ける。基礎杭
の打ち込みは、直接地面に基礎杭を立てて電動ハンマーで打ち付け、振動しながら埋設し
てゆく。基礎杭の先端には劍先が取り付けられているので、この工法によれば可なり固い
地面でも直接杭を打ち込むことができる。
【００１９】
太陽光パネル架台と基礎杭の結合方法は、架台を構成するＣ形鋼に設けた透孔と基礎杭
のブラケットの長孔とを直接ボルト、ナットによって固定してもよいが、両者を結ぶ取付
金具を使用することを推奨する。取付金具はL字状の金属片よりなり、架台の横桟または
それに取り付けた支柱のＣ型鋼に削設された透孔と取付金具の１辺に削設された透孔とを
係合ピンとしてのボルト、ナットで繋ぎ、取付金具の他辺に設けた透孔とブラケットの長
孔とを他の係合ピンとしてのボルト、ナットで繋いで固定する。この取付の際にブラケッ
トの長孔は横方向の位置の調節に使用される。
【発明の効果】
【００２０】
本発明の太陽光パネル架台用基礎杭は、地中埋設部と地上突出部との境界に鍔部材を有
する棒状の杭本体よりなり、地中埋設部の先端に剣先が設けられてるので、電動ハンマー
だけで杭打ち作業が可能で、重機の使用が必要なくなるので、安価でしかも工期も短くな
ると共に、鍔部材の存在によって、杭の自然沈下と左右への傾きを防止することができる
。
その結果、杭の埋設深さ１〜２ｍ程度で、軟質地面で３００ｋｇ／１本、硬質地面で５０
０ｋｇ／１本の耐荷重強度を発揮できる。
【００２１】
本発明の太陽光パネル架台用基礎杭は、地上突出部に上下に摺動可能に嵌合するパイプ状
の調節部材を設け、太陽光パネル架台を係止するための取付用ブラケットに細長い取付孔
が設けられているので、太陽光パネル架台を取り付ける際に左右上下の位置調整を簡単に
行うことができる。
【００２２】
地中埋設部にはその側面に沿って少なくとも２個の小突起状抵抗板が地中埋設部の軸線に
対して予め定められた角度だけ傾斜して取り付けられているので、引っ張り強度が高まり
、耐過重強度が更に高まる。この抵抗板を２個取り付けた基礎杭を軟質地面に打ち込んで
、耐荷重強度を測定した結果、４００ｋｇ、即ち１００ｋｇ多い耐荷重強度が得られたこ
とを実験的に確認した。
【００２３】
複数の抵抗板は地中埋設部の側面に沿って下から上の方向に向かい螺旋状に配置されてい
るので、基礎杭の上下方向の移動および回動を防止することができ、基礎杭の引っ張り強
度をさらに増加することができる。
なお、抵抗板は同じ方向に傾斜して設ける必要があり、仮に反対方向に傾斜した抵抗板を
用いると、杭の打ち込みに多くの力を要するばかりでなく、杭の周囲の土がかき回されて
、返って耐荷重強度が低下することが判明した。
【図面の簡単な説明】
【００２４】
【図１】本発明の太陽光パネル架台用基礎杭の正面図。
【図２】図１の基礎杭の先端部の拡大図で、図２Ａは正面図、図２Ｂは裏面図である。
【図３】基礎杭の平面図で抵抗板の取り付け構造についてＡ、Ｂ、Ｃの３つの実例を示している。
【図４】基礎杭の平面図。
【図５】太陽光パネルの平面図。
【図６】太陽光パネル架台の斜面図。
【図７】太陽光パネル架台の一部拡大斜面図。
【図８】太陽光パネル架台と基礎杭を結合する構造を示す一部断面図説明図。
【図９】太陽光パネル架台と基礎杭を結合するための取付金具の斜面図。
【図１０】調節部材に取り付けたダブルナット部分の断面図。
【符号の説明】
【００２５】
１  太陽光パネル架台用基礎杭
１０  基礎杭本体
１１  地中埋設部
１２  地上突出部
１３  鍔部材
１４  剣先
１５  調節部材
１６  取付用ブラケット
１７  抵抗板
２  太陽光パネル架台
２１  太陽光パネル
３  取付金具
【発明を実施するための形態】
【００２６】
以下、実施例を参照して本発明の実施の形態を説明する。
【実施例１】
【００２７】
図１に示されるように、本発明の太陽光パネル架台基礎杭１は、基礎杭本体１０と円筒
状の調節部材１５より構成されている。基礎杭本体１０は  地中埋設部１１と地上突出部
１２よりなり、その境界部には円形の鍔部材１３が溶接１３Ａによって基礎杭本体１０に
固定されている。地中埋設部１１はその先端に剣先１４が取り付けられている。
地上突出部１２には上記調節部材１５が摺動自在に被せられている。
【００２８】
調節部材１５の先端には水平に伸びていている取付用ブラケット１６が溶接によって調
節部材１５に固定されている。図４に示すように取付用ブラケット１６には細長い長孔１
６１が削設されている。
【００２９】
図８に示される調節部材１５にはその側面に複数個の裸子孔１５３が設けられ、図１０に
示されるように、ダブルナット１５１の下側ナット１５１ｂが調節部材１５の外側に溶接
１５Ａによって固定されている。ナット１５１ｂの上にナット１５１ａを重ねボルト１５
２を裸子孔１５３に螺入してその先端で地上突出部１２の側面を圧接する。最後にナット
１５１ａをナット１５１ｂ方向に締め付ければ、ゆるみ止めとなる。
【００３０】
また、地上突出起１２の外側に小さな凹部１２２を縦方向に多数設けておけば、調節部材
１５と地上突出部１２との結合はより強固になる。なお、これらの凹部１２２を設けなく
ともボルト１５２を強く締めれば、ダブルナット１５１の存在により調節部材１５と地上
突出部１２との間には十分な結合力を得ることができる。
【００３１】
調節部材１５を地上突出起１２に固定する手段としては、ドリル螺子１５４を使用するこ
とができる。図８に示すように、調節部材１５の外側からドリル螺子１５４をねじ込むと
地上突出起１２の側壁を突き抜けて，図示のように調節部材１５と地上突出起１２とを結
合することができる。勿論、調節部材１５と地上突出起１２との結合は図示のように、ダ
ブルナット１５１附きのボルト１５２とドリル螺子１５４を併用しても差し支えないが、
実用的には何れか一方使用すれば十分にその役目を果たすことができる。
【００３２】
図１及び図２に示すように、地中埋設部１１にはその先端近くの側面に沿って少なくと
も２個、好ましくは２〜４個の小突起状抵抗板１７が地中埋設部１１の軸線１８に対して
予め定められた角度αだけ傾斜して取り付けられている。各抵抗板は同じ方向に傾斜して
取り付けられている。小突起状抵抗板の長さは３０〜５０ｍｍ、好ましくは４０ｍｍ、高
さは１０〜２０ｍｍである。予め定められた角度αとしては２０°〜４０°、好ましくは
３０°である。
【００３３】
複数の抵抗板１７は地中埋設部の側面に沿って下から上の方に向かって螺旋状に等間隔
で配置されている。図３に示すように、上から見た場合、２個の場合は、図３Ａに示すよ
うに１８０°間隔、３個の場合は図３Ｂに示すように６０°間隔、４個の場合は図３Ｃに
示すように４５°間隔で取り付けられている。
【００３４】
図５は、太陽光パネル集合体２０を示すもので、１６枚の太陽光パネル２１が１６枚で１
セットになって、太陽光パネル架台に取り付けられ、６本の基礎杭１によって地上に設置
されている。
【００３５】
図６、図７に示される太陽光パネル架台２は、３本のＣ形鋼より成る縦桁２３に５本のＣ
形鋼より成る横桁２２が井桁状に組み立てられている。３本の縦桁の前後両端にそれぞれ
Ｃ形鋼より成る支柱２４、２５が垂直に取り付けられている。支柱２４は短く、支柱２５
は長いので、架台２は傾斜して設置されることになる。
【００３６】
図８に示されるように、架台２の縦桁２３にボルト２３１およびナットによって取り付け
られた支柱２４と基礎杭１の調節部材１５の頂部のブラケット１６とは、図９に示される
取付金具３を介して結合される。取付金具３はＬ字状鉄片３０の両脇に補強用リブ３１が
溶接によって結合されている。Ｌ字状鉄片３０の水平部には１個の取付孔３２が、垂直部
には２個の取付孔３３が明けられている。 
【００３７】
支柱２４に開けられた２個の取付孔２４４と取付金具３の垂直部に開けられた取付孔３３
に挿入された２個のボルト２４１と２個のナット２４２によって支柱２４と取付金具３と
は２個のワッシャー２４３を介して結合される。
【００３８】
一方、取付金具３の水平部に開けられた取付孔３２とブラケット１６に開けられた長孔１
６１とに挿入されたボルト１６２およびナット１６４によって取付金具３とブラケットは
ワッシャー１６３を介して結合される。ブラケット１６に開けられた長孔１６１は前後方
向の長さの調節を行うためのものである。
【産業上の利用可能性】
【００３９】
本発明の太陽光パネル架台用基礎杭は、住宅や施設を建設する際の足場用の基礎杭として
も利用できる。
【図１】
2016010187.tif 000003
【図２】
2016010187.tif 000004
【図３】
2016010187.tif 000005
【図４】
2016010187.tif 000006
【図５】
2016010187.tif 000007
【図６】
2016010187.tif 000008
【図７】
2016010187.tif 000009
【図８】
2016010187.tif 000010
【図９】
2016010187.tif 000011
【図１０】
2016010187.tif 000012